(57)【要約】  【課題】  使用済の玉磨き用ベルトを巻取る際に、パチンコ玉揚送装置内に存在しているパチンコ玉を効率よく排除するため、パチンコ玉揚送装置下部のパチンコ玉受入れ口へパチンコ玉が流入しないようにする。  【解決手段】  パチンコ玉揚送装置１のパチンコ玉受入れ口Ｍ５と連通されるパチンコ玉搬送どぶＬ、Ｒに設け、パチンコ玉揚送装置１へパチンコ玉Ｗを流入させる状態あるいは阻止する状態へ移動可能なシャッター板２と、シャッター板２をパチンコ玉Ｗが流入する状態あるいは流入を阻止する状態へ移動させパチンコ玉揚送装置１へパチンコ玉Ｗを流入させるか阻止するかを切替え可能なシャッター板駆動部３とから構成する。【選択図】  図１
2006314719.tif 000002
【特許請求の範囲】
【請求項１】
パチンコ玉が流れるパチンコ玉搬送路に、パチンコ玉搬送路上をパチンコ玉が流れる状態あるいは流れを阻止する状態へ移動可能なシャッターを設け、パチンコ玉がパチンコ玉搬送路上を流れる状態に、あるいは、流れを阻止する状態にすることが可能なことを特徴とする玉流入防止用シャッター。
【請求項２】
パチンコ玉が流れるパチンコ玉搬送路に設け、パチンコ玉搬送路上をパチンコ玉が流れる状態あるいは流れを阻止する状態へ移動可能なシャッターと、シャッターをパチンコ玉が流入する状態あるいは流入を阻止する状態へ移動させパチンコ玉を流れる状態とするかあるいは流れを阻止する状態とするかを切替え可能なシャッター駆動部とからなることを特徴とする玉流入防止用シャッター。
【請求項３】
パチンコ玉が流れるパチンコ玉搬送路に設け、パチンコ玉搬送路上をパチンコ玉が流れる状態あるいは流れを阻止する状態へ移動可能なシャッターと、シャッターをパチンコ玉が流入する状態あるいは流入を阻止する状態へ移動させパチンコ玉を流れる状態とするかあるいは流れを阻止する状態とするかを切替え可能なシャッター駆動部と、シャッター駆動部の駆動によりシャッターが流入阻止状態となった位置あるいは流入可能となった位置でシャッターを保持するよう支持可能なロック機構とからなることを特徴とする玉流入防止用シャッター。
【請求項４】
前記パチンコ玉搬送路は、パチンコホール島内に設けられ遊技されたパチンコ玉を回収するパチンコ玉搬送どぶ、該搬送どぶを集約しパチンコ玉揚送装置のパチンコ玉受入れ口へ接続する集約部、パチンコ玉揚送装置に設けるパチンコ玉受入れ口、のいずれかに設けられることを特徴とする請求項１または請求項２または請求項３に記載の玉流入防止用シャッター。
【請求項５】
請求項１乃至請求項４いずれか記載の玉流入防止用シャッターを備え、該玉流入防止用シャッターにより、前記流れを阻止する状態とすることでパチンコ玉の揚送を阻止し、前記流れる状態とすることでパチンコ玉の揚送を可能とすることを特徴とするパチンコ玉揚送装置。
【発明の詳細な説明】
【技術分野】
【０００１】
この発明は、パチンコ玉の流入を防止する玉流入防止用シャッターにかかり、詳細には、パチンコホールのホール島内に設けるパチンコ玉搬送どぶからパチンコ玉揚送装置へのパチンコ玉の流入を防止する玉流入防止用シャッターに関する。
【背景技術】
【０００２】
パチンコホールにおいては、パチンコ台を複数並設したホール島内で、パチンコ台で使用されたパチンコ玉を再び使用している。
その際、パチンコ台に打ち込まれて排出されるパチンコ玉は、ホール島内に長手方向に設け並設されるパチンコ台の裏面で各パチンコ台から排出されるパチンコ玉を回収して搬送するためのパチンコ玉搬送どぶに排出され、このパチンコ玉搬送どぶで集められたパチンコ玉は、該島内に設けるパチンコ玉揚送装置によって該島内のパチンコ台上方へ揚送され、再び並設された各パチンコ台へ供給されて再使用される。
【０００３】
このパチンコ玉の揚送を行うパチンコ玉揚送装置は、パチンコ玉搬送どぶから集められたパチンコ玉を、下部の受入れ口から受入れて揚送し、上部に開口されたパチンコ玉吐出し口より、遊技機の補給皿にパチンコ玉を供給するための玉樋にパチンコ玉吐出し口より排出する。パチンコ玉揚送装置にとしては、スクリューコンベア式、バケットコンベア式、ベルトコンベア式、押上跳上げ式、その他の方式のものが種々提案されている。例えばベルトコンベア式の場合には、下部にパチンコ玉受入れ口および上部にパチンコ玉吐出し口が設けられ、上部と下部それぞれにローラを設けられ、パチンコ玉受入れ口からパチンコ玉吐出し口にかけて上下方向に革ベルトからなる揚送ベルトをそれぞれのローラに掛渡し、布製からなる玉磨き用ベルトを揚送ベルトと対向させて設けられている。玉磨き用ベルトと搬送ベルトとの対向面において、玉磨き用ベルトと玉磨き用ベルトとの間でパチンコ玉を挟んで、玉磨き用ベルトが静止した状態で搬送ベルトが下方から上方に移動することで、下部にあるパチンコ玉を上方に揚送して吐出し口から排出される。その際、搬送ベルトの下方から上方への移動にともない、静止した玉磨き用ベルトにパチンコ玉が回転しながら擦れて研磨され、パチンコ玉に付着した汚れが玉磨き用布ベルトにより拭き取られる。
【０００４】
このように揚送ベルトと対向設置される玉磨き用ベルトは、パチンコ玉に付着していたゴミや錆などを磨き取っているため、使用によって汚れが付着するので、定期的に新しいものと交換する必要がある。
そこで玉磨き用ベルトは、未使用の玉磨き用ベルトを巻付けた引出しロールと、引出しロールから引出される玉磨き用ベルトを巻取る巻取りロールとを、パチンコ玉揚送装置の揚送ベルトと対向させた玉磨き用ベルトの背面側に設けておくことで、汚れた際に新しい玉磨き用ベルトを引出して使用可能としていた。即ち、玉磨き用ベルトを掛渡すためのローラをパチンコ玉受入れ口およびパチンコ玉吐出し口に設けたローラと対向させて設置しておき、引出しロールから引出した玉磨き用ベルトをこの対向設置したローラへ掛渡し、更に巻取りロールへ巻取らせて固定することで、揚送ベルトと対向させて玉磨き用ベルトを設置していた。
そして、揚送ベルトと対向させた玉磨き用ベルトが汚れた際には、巻取りローラと回転駆動させて汚れた部分の玉磨き用ベルトを巻取ることで引出しロールから新たな玉磨き用ベルトを引出し、未使用の玉磨き用ベルトが揚送ベルトと対向するようにしていた。
【発明の開示】
【発明が解決しようとする課題】
【０００５】
上記のように未使用の玉磨き用ベルトを揚送ベルトと対向させるに当り、揚送ベルトと対向した玉磨き用ベルトの背面側に設けた巻取りロールが使用済の玉磨き用ベルトを巻取る際に、揚送ベルトとの対向面において玉磨き用ベルトを揚送方向へ移動するように巻取る場合には、パチンコ玉揚送装置の下部に設けたパチンコ玉受入れ口にパチンコ玉が存在していても、玉磨き用ベルトが揚送方向へ移動するので、該パチンコ玉は揚送されることとなり、特にパチンコ玉揚送装置の駆動を停止しなくとも使用済の玉磨き用ベルトの巻取り作業が行える。
【０００６】
しかしながら、揚送ベルトと対向した玉磨き用ベルトの背面側に設けた巻取りロールが使用済の玉磨き用ベルトを巻取るに際し、揚送ベルトとの対向面において玉磨き用ベルトを揚送方向ではなく上方から下方へ移動するように巻取る場合では、パチンコ玉揚送装置の下部に設けたパチンコ玉受入れ口にパチンコ玉が存在していたのでは、揚送されるパチンコ玉が使用済の玉磨き用ベルトの巻取り方向と逆に移動しようとするため、使用済玉磨き用ベルトの巻取りの抵抗となってしまうという問題点を有した。
更に、この未使用の玉磨き用ベルト巻取り時に、下部に設けたパチンコ玉受入れ口に存在しているパチンコ玉を下方あるいは背面側へ巻込んでしまい、機械を損傷させてしまうという問題点を有した。
また、同様にパチンコ玉揚送装置が、スクリューコンベア式、バケットコンベア式、押上跳上げ式、その他の方式の場合においても、機構の清掃、修理の際には、揚送途中のパチンコ玉があると作業がし難いといった問題点を有した。
【０００７】
そこでこの発明は、上記問題点に鑑み、使用済の玉磨き用ベルトを巻取る際に、パチンコ玉揚送装置内に存在しているパチンコ玉を効率よく排除するため、パチンコ玉揚送装置下部のパチンコ玉受入れ口へパチンコ玉が流入しないようにさせることを課題とする。
【課題を解決するための手段】
【０００８】
そこでこの発明は、パチンコ玉揚送装置のパチンコ玉受入れ口へパチンコ玉を流入させないために、
【０００９】
パチンコ玉が流れるパチンコ玉搬送路に、パチンコ玉搬送路上をパチンコ玉が流れる状態あるいは流れを阻止する状態へ移動可能なシャッターを設け、パチンコ玉がパチンコ玉搬送路上を流れる状態に、あるいは、流れを阻止する状態にすることが可能なことを特徴とする玉流入防止用シャッター、
【００１０】
を提供する。従って玉流入防止用シャッターでは、パチンコ玉がパチンコ玉搬送路上を流れる状態に、あるいは、流れを阻止する状態にすることが可能なため、例えばパチンコ玉のパチンコ玉揚送装置への流入を阻止する場合には、シャッターをパチンコ玉がパチンコ玉揚送装置へ流入可能な状態から流入阻止状態へ移動させ、パチンコ玉の流入を阻止する。反対にパチンコ玉をパチンコ玉揚送装置へ流入させる場合には、シャッターをパチンコ玉のパチンコ玉揚送装置への流入を阻止している状態から流入可能な状態へ移動させ、パチンコ玉を流入させる。
このシャッターは、たとえば、所望のパチンコ玉搬送路上に設置され、パチンコ玉搬送路を遮断する板状体から構成され、パチンコ玉の流入可能な状態では、該搬送路の上方に位置されるように支持体によって支持されパチンコ玉の流入を許可し、パチンコ玉の流入を阻止する場合には、支持体による支持を解除してシャッターをパチンコ玉搬送路へ位置させパチンコ玉の流入を阻止する。
従って、パチンコ玉揚送装置の玉磨き用ベルト交換時等にシャッター板をパチンコ玉の流入阻止状態となるよう移動させることで、パチンコ玉のパチンコ玉揚送装置への流入を阻止することができる。
なお、このシャッターは板状体に限定されない。パチンコ玉搬送路を遮断するもので、１乃至複数の進退可能な棒状体や突起物のようなものであってもよい。
またこの発明では、シャッターの移動を自動的に行わせる玉流入防止用シャッターとして、
【００１１】
パチンコ玉が流れるパチンコ玉搬送路に設け、パチンコ玉搬送路上をパチンコ玉が流れる状態あるいは流れを阻止する状態へ移動可能なシャッターと、シャッターをパチンコ玉が流入する状態あるいは流入を阻止する状態へ移動させパチンコ玉を流れる状態とするかあるいは流れを阻止する状態とするかを切替え可能なシャッター駆動部とからなることを特徴とする玉流入防止用シャッター、
【００１２】
を提供する。従って玉流入防止用シャッターでは、シャッターをパチンコ玉が流入する状態あるいは流入を阻止する状態へ移動させパチンコ玉を流れる状態とするかあるいは流れを阻止する状態とするかを切替え可能なシャッター駆動部とからなるので、例えばパチンコ玉搬送路上を流れるパチンコ玉がパチンコ玉揚送装置へ流入するように流れる場合、シャッターがシャッター駆動部によって駆動されてパチンコ玉の流入を可能とする状態あるいは阻止する状態へ自動的に移動させる。この玉流入防止用シャッターは、たとえば、シャッターを所望のパチンコ玉搬送路上に設置されパチンコ玉搬送路を遮断する板状体から形成し、パチンコ玉の流入可能な状態では、該搬送路の上方に位置されるように支持体によって支持されるように構成する。そしてシャッター駆動部は、該シャッターと連動可能に設け、電流が流れることで電磁コイルに引寄せられて位置を変更可能な移動体と該移動体を移動させる電磁コイルとからなる電磁ソレノイドによって構成する。そして、パチンコ玉の流入可能な状態では、電流を流すことなくシャッターが該搬送路の上方に位置されるように支持体によって支持される基本位置をとり、パチンコ玉の流入を阻止する場合には、電磁コイルに電流を供給し、電磁コイルがその磁力により移動体を引きつけることで移動体と連結するシャッター板をパチンコ玉搬送路へ移動させてパチンコ玉の流入を阻止させる。
従ってシャッター板駆動部を設けることで、玉流入防止用シャッターは人手によらず、オンスイッチを押す等の操作を行うだけでシャッター板の位置を移動させることができる。
またこの発明では、自動的に移動させたシャッターをその位置で支持可能な玉流入防止用シャッターとして、
【００１３】
パチンコ玉が流れるパチンコ玉搬送路に設け、パチンコ玉搬送路上をパチンコ玉が流れる状態あるいは流れを阻止する状態へ移動可能なシャッターと、シャッターをパチンコ玉が流入する状態あるいは流入を阻止する状態へ移動させパチンコ玉を流れる状態とするかあるいは流れを阻止する状態とするかを切替え可能なシャッター駆動部と、シャッター駆動部の駆動によりシャッターが流入阻止状態となった位置あるいは流入可能となった位置でシャッターを保持するよう支持可能なロック機構とからなることを特徴とする玉流入防止用シャッター、
【００１４】
を提供する。この玉流入防止用シャッターでは、例えばパチンコ玉搬送路上を流れるパチンコ玉がパチンコ玉揚送装置へ流入するように流れる場合、シャッターの移動を自動的に行わせた前記玉流入防止用シャッターに加え、シャッター駆動部によって駆動され流入阻止状態に移動したシャッターを該位置で固定する。従って、電磁ソレノイドや電気モータ、各種エンジン等からなるシャッター駆動部を常に駆動させた状態でシャッターを流入阻止状態とせず、シャッター駆動部をいったん駆動してシャッターを流入阻止状態としておき、該状態でロック機構によりシャッターを該位置に維持する。これによりシャッター駆動部に供給する電力等を節約できる。
【００１５】
パチンコホールの島内に設けられ遊技されたパチンコ玉を回収するパチンコ玉搬送どぶ、該搬送どぶを集約しパチンコ玉揚送装置のパチンコ玉受入れ口へ接続する集約部、パチンコ玉揚送装置に設けるパチンコ玉受入れ口のいずれかである
【００１６】
ので、玉流入防止用シャッターによってパチンコ玉揚送装置へ流入するパチンコ玉の搬送経路の所望の位置で流入を阻止できる。
更にこの発明では、
【００１７】
前記するような玉流入防止用シャッターを備え、該玉流入防止用シャッターにより、パチンコ玉搬送どぶを流れるパチンコ玉の流れを阻止する状態とすることでパチンコ玉の揚送を阻止し、前記流れる状態とすることでパチンコ玉の揚送を可能とすることを特徴とするパチンコ玉揚送装置、
【００１８】
を提供する。従って玉流入防止用シャッターを備えたパチンコ玉揚送装置では、玉流入防止用シャッターがパチンコ玉搬送どぶからのパチンコ玉の流入を阻止するので、該状態でパチンコ玉の揚送作業を行えばパチンコ玉揚送装置内にある全てのパチンコ玉をパチンコ玉揚送装置外へ排出できる。従って、全てのパチンコ玉の排出を完了することで、パチンコ玉揚送装置の各部の清掃や修理、あるいは玉磨きベルトの交換等、装置内にパチンコ玉があると困難であった作業が簡便に行える。
【発明の効果】
【００１９】
従って、この発明によれば、シャッターを閉じることでパチンコ玉揚送装置へのパチンコ玉の流入を阻止するので、玉流入防止用シャッターを流入阻止状態としておきパチンコ玉揚送装置を駆動することで、パチンコ玉揚送装置のパチンコ玉受入れ口からパチンコ玉吐出し口までの揚送通路に残るパチンコ玉、即ちパチンコ玉揚送装置内のパチンコ玉すべてを排除することができる。これによりパチンコ玉揚送装置の玉磨き用ベルト交換時、玉磨き用ベルトを巻取る際に、パチンコ玉揚送装置内にパチンコ玉が存在しないので、玉磨き用ベルト巻取り時の巻取り抵抗を軽減可能となる。これにより、玉磨き用ベルトの自動巻上げ交換時等には、より小さな駆動力によって巻取りが可能となり巻取り装置を小型化できコストパフォーマンスが向上する。
特に、玉磨き用ベルトを巻取るに際し、揚送方向と反対の上方から下方へ移動するように巻取る場合では、揚送されるパチンコ玉が使用済の玉磨き用ベルトの巻取り方向と逆に移動しようとするために発生していたパチンコ玉の下方あるいは背面側への巻込みによる機械の損傷は皆無となるという特段の効果を有する。
【００２０】
更に、オンスイッチの入力等駆動指示によりシャッターを移動可能とさせることで、パチンコホールの島内の狭いところで人手によるシャッターの操作をなくすことが出来、操作性が向上するという効果を有する。そして、パチンコ玉揚送装置や玉磨き用ベルトの自動巻上げ交換時には、パチンコ玉揚送装置や玉磨き用ベルトの自動巻上げ駆動等他の装置の動きに関連させて制御することができるので、玉磨き用ベルトの自動巻上げ交換の一連の作業として自動制御可能にでき利便性の向上が図れるという特段の効果を有する。
また、シャッターの位置を固定可能なロック機構を設けたものでは、シャッター板が流入阻止状態となった状態をロック機構が維持するので、シャッター板駆動部によってシャッター板の該位置の維持を行わずにすみ、電気等シャッター板駆動部に余分な駆動エネルギーを供給しないので経済的である。
【００２１】
更に、玉流入防止用シャッターは、パチンコホール島内に設けられ遊技されたパチンコ玉を回収するパチンコ玉搬送どぶ、該搬送どぶが集約されてパチンコ玉揚送装置のパチンコ玉受入れ口へと接続される集約部、パチンコ玉揚送装置に設けるパチンコ玉受入れ口のいずれにも設置できるので、設置位置を自由に選択できパチンコホールの狭い島内でも設置場所の限定がなく設置場所の自由度が向上する。
【００２２】
更にまた、玉流入防止用シャッターを設けるパチンコ玉揚送装置では、玉流入防止用シャッターによりパチンコ玉の流入を阻止した状態で揚送作業を行うことで、パチンコ玉揚送装置内のパチンコ玉を全て排出可能となり、パチンコ玉揚送装置各部の清掃や修理といった作業が容易に行え、作業効率を上げることが出来る。特に、ベルトコンベア式のパチンコ玉揚送装置では、下方から上方へ移動させる革ベルトに対向して固定設置する玉磨き用ベルトの交換を比較的頻繁に行うため、該交換作業が容易に行えるという本願特有の効果を有する。
【発明を実施するための最良の形態】
【００２３】
図１に表すように、玉流入防止用シャッター１は、パチンコ玉が流れるパチンコ玉搬送どぶＬおよびパチンコ玉搬送どぶＲの上部に設けるシャッター板２と、シャッター板２を該どぶＬ、Ｒ位置において上下動させるシャッター板駆動部３と、シャッター板２を上方へ移動した状態でシャッター板２の位置を固定するロック機構４とから構成する。
シャッター板２は、パチンコ玉搬送どぶＬおよびパチンコ玉搬送どぶＲの全幅を阻止可能な幅からなる板状体であり、基本位置では該どぶＬ、Ｒの上方に位置されて該どぶＬ、Ｒに流れるパチンコ玉を阻止しない該どぶＬ、Ｒ上方の位置を取る。
【００２４】
シャッター板駆動部３は、電磁ソレノイドからなり、リンクレバー３１と電磁コイル３２とからなる。そして、リンクレバー３１の基端部は電磁コイル３２の中空内に挿入され他端はシャッター板２と連接される。
このシャッター板駆動部３は、電磁コイル３２が通電されるとリンクレバー３１が電磁コイル３２内で上方へ移動するので、他端に連結されたシャッター板２は、リンクレバー３１のリンク機構によって下方へ移動され、パチンコ玉搬送どぶＬおよびパチンコ玉搬送どぶＲのパチンコ玉が流れる面に移動しパチンコ玉の流れを阻害する。
ロック機構４は、電磁コイル３２の近傍に設置され、リンクレバー３１の移動方向と直行するよう、即ち横方向へ移動可能であり、移動させることで電磁コイル３２の作用によりパチンコ玉搬送どぶＬおよびパチンコ玉搬送どぶＲのパチンコ玉が流れる面に移動したシャッター板２の状態を維持するようリンクレバー３１と係止可能に設ける。
【００２５】
また、電磁コイル３２への通電は電磁ソレノイドスイッチ５によって行われ、該スイッチ５を押圧している間のみ通電されてリンクレバー３１が作動されシャッター板２がパチンコ玉を阻害する。この通電時にロック機構４をスライドさせてシャッター板２の位置を固定したところで電磁ソレノイドスイッチ５の押圧を解除し、通電を終了する。
【００２６】
しかしながら、電磁コイル３２への通電が解除されてもロック機構４によってシャッター板２はパチンコ玉の流れを阻害し続ける。
再びパチンコ玉の流れの阻害を解除する場合には、ロック機構４を元の位置に戻るようにスライドする。すると、電磁コイル３２への通電がないのでシャッター板２は基本位置へ移動する。
【実施例１】
【００２７】
以下にこの発明の実施例を、図面に基づき説明する。図１はこの発明の実施例を実施したパチンコホールの島内を表す斜視説明図であり、図２は図１の側面視一部断面説明図であり、図３は図２の部分拡大説明図であり、図４は図３の右側面視説明図であり、図５は図４を平面側から見た視断面説明図であり、図６は他の実施例を表す側面視一部断面説明図である。
【００２８】
図１はパチンコホールの島の内部を表しており、ＬおよびＲはそれぞれパチンコ玉搬送どぶである。パチンコ玉搬送どぶＬおよびＲは島に複数並設するパチンコ台（図示せず）からパチンコ玉を回収するために設けられており、各パチンコ台（図示せず）からアウト玉等として回収されるパチンコ玉が該どぶＬ、Ｒ上に排出され、それぞれ矢示Ａ方向に流れてくる。そして、該どぶＬ、Ｒのそれぞれの端部が合流する位置には、パチンコ玉揚送装置Ｍが設置されている。
【００２９】
パチンコ玉揚送装置Ｍは、図１および図２に表すように、柱状に設ける揚送部Ｍ１と、揚送部Ｍ１に上下に掛渡す革ベルトである揚送ベルトＭ２と、揚送ベルトＭ２に対向して設置する玉磨きベルトＭ３と、玉磨きベルトＭ３が汚れた際に未使用の玉磨きベルトＭ３を供給すると共に使用済の玉磨きベルトＭ３を巻取るベルト供給部Ｍ４と、揚送部Ｍ１の下部に開口するパチンコ玉受入れ口Ｍ５と、揚送部Ｍ１の上部に開口し揚送したパチンコ玉を排出するパチンコ玉吐出し口（図示せず）とからなる。
そして揚送部Ｍ１は、下部のパチンコ玉受入れ口Ｍ５およびパチンコ玉吐出し口（図示せず）にそれぞれローラを設け、パチンコ玉受入れ口Ｍ５からパチンコ玉吐出し口（図示せず）にかけて革ベルトからなる揚送ベルトＭ２をそれぞれのローラに掛渡す。また、玉磨きベルトＭ３は、揚送ベルトＭ２との間でパチンコ玉Ｗを狭持して揚送できるように揚送ベルトＭ２と対向させ、同じくパチンコ玉受入れ口Ｍ５およびパチンコ玉吐出し口（図示せず）に設けるローラ間に掛渡して設ける。このように設ける玉磨きベルトＭ３は通常時は固定させておく。
【００３０】
このように設置した揚送ベルトＭ２を、玉磨きベルトＭ３と対向している部分が下方から上方へ移動するように、掛渡してあるローラを回転駆動することで回転移動させ、パチンコ玉Ｗを揚送ベルトＭ２および玉磨き用ベルト間Ｍ３で狭持しながら揚送ベルトＭ２の上方への移動によって上方へ移動させ、パチンコ玉吐出し口（図示せず）から排出し再び各パチンコ台（図示せず）へ供給する。
このパチンコ玉揚送装置Ｍは、揚送ベルトＭ２と対向設置させる玉磨き用ベルトＭ３を帆布で構成し、帆布表面にパチンコ玉Ｗを擦りつけながら揚送することでパチンコ玉Ｗを磨いている。
【００３１】
玉磨き用ベルトＭ３は、パチンコ玉Ｗに付着していたゴミや錆などを磨き取っているため、使用によって汚れが付着するので、定期的に新しいものと交換する必要がある。
そこで玉磨き用ベルトＭ３は、未使用の玉磨き用ベルトＭ３を巻付けた引出しロールＭ６と、引出しロールＭ６から引出される玉磨き用ベルトＭ３を巻取る巻取りロールＭ７とを内蔵したベルト供給部Ｍ４を、パチンコ玉揚送装置Ｍの揚送ベルトＭ２と対向させた玉磨き用ベルトＭ３の背面側に設ける。このように、引出しロールＭ６および巻取りロールＭ７を背面側に設けることで汚れた際に新しい玉磨き用ベルトＭ３を引出して使用可能である。
【００３２】
また、揚送部Ｍ１の下部に設けるパチンコ玉受入れ口Ｍ５は、図２に表すように、集約部Ｎに接続される。この集約部Ｎは、図１に表すように、パチンコ玉搬送どぶＬおよびパチンコ玉搬送どぶＲの終端部に位置して該どぶＬ、Ｒ上を流れてきたパチンコ玉Ｗが集約されてそれぞれのどぶＬ、Ｒからのパチンコ玉Ｗをパチンコ玉揚送装置Ｍへ供給する部分である。
従って、各パチンコ台（図示せず）から回収されるパチンコ玉Ｗは、重力によりパチンコ玉搬送どぶＬおよびパチンコ玉搬送どぶＲの端部まで流れ着き、更に集約部Ｎへ落下して集約部Ｎからパチンコ玉受入れ口Ｍ５へ移動する。これら一連のパチンコ玉Ｗの移動はすべて重力の作用によって行われる。
【００３３】
１は、玉流入防止用シャッターである。玉流入防止用シャッター１は、パチンコ玉搬送どぶＬおよびパチンコ玉搬送どぶＲの終端部である集約部Ｎとの境に設ける。この実施例では、玉流入防止用シャッター１はそれぞれのどぶＬ、Ｒに設置しているが、いずれのどぶＬ、Ｒに設けた玉流入防止用シャッター１も同じ作用をするので、パチンコ玉搬送どぶＬに設けた玉流入防止用シャッター１を取上げて説明する。
玉流入防止用シャッター１は、パチンコ玉Ｗが流れるパチンコ玉搬送どぶＬの上部に設けるシャッター板２と、シャッター板２を該どぶＬ位置において上下動させるシャッター板駆動部３と、シャッター板２を上方へ移動した状態でシャッター板２の位置を固定するロック機構４とから構成する。
【００３４】
シャッター板２は、パチンコ玉搬送どぶＬおよびパチンコ玉搬送どぶＲの全幅を阻止可能な幅からなる板状体であり、基本位置ではパチンコ玉搬送どぶＬの上方に位置されて該どぶＬに流れるパチンコ玉を阻止しない位置を取る。このシャッター板２は、シャッター板２部分の詳細を説明する図３に表すように、枠体６によって上下動自在に支持される。また、上下動するシャッター板２および固定されている枠体６とは、一端が枠体６の上端と係止され他端がシャッター板２に係止されるコイルスプリング７によって接続されており、コイルスプリング７の付勢力によってシャッター板２は常に上方に位置するよう、即ち基本位置となるように構成されている。なお、この実施例において、シャッターとしては板状のシャッター板を例示しているが、これに限定されない。シャッターは、パチンコ玉搬送路としてのパチンコ玉搬送どぶを流れるパチンコ玉を遮断するものであればどの様な形状でも良く、１乃至複数の進退可能な棒状体や突起物のようなもの等種々のものが考えられる。また、パチンコ玉搬送どぶを流れるパチンコ玉の垂直上方から鉛直下方に下ろすシャッター板２は、板状であるためシャッター板駆動部２の電磁ソレノイドの駆動力が弱ければ、パチンコ玉がじゃまとなってパチンコ玉搬送どぶの底板に到達しえないときがある。そこで例えば、板形状に代えてフォーク状とし、パチンコ玉搬送どぶに対し、斜め上方から円軌道を描いてどぶの底板に到達しやすいようにしてもよい。
【００３５】
シャッター板駆動部３は、電磁ソレノイドからなり、リンクレバー３１と電磁コイル３２とによりシャッター板２を移動させる。
リンクレバー３１は、基端部３１ａが電磁コイル３２の中空部内へ挿入されて電磁コイル３２の電磁作用により上下動される。また、リンクレバー３１の他端側にはシャッター板２と連接される揺動部３１ｂを構成する。揺動部３１ｂでは、中央部を揺動自在に枠体６と回動軸によって軸支されるリンクバー３１ｃを設け、リンクバー３１ｃの先端には長穴３１ｄを穿設し、該長穴３２ｄがボルトナットによってシャッター板２と回動自在および摺動自在に係止されている。また、リンクバー３１ｃの基端はリンクレバー３１の他端と回動軸によって回動自在に係止される。
このシャッター板駆動部３は、電磁コイル３２が通電されるとリンクレバー３１が電磁コイル３２内で上方へ移動し、連結されたシャッター板２は揺動部３１ｂのリンクバー３１ｃが揺動することで下方へ移動しパチンコ玉搬送どぶＬを流れるパチンコ玉Ｗを堰き止める。
更にリンクレバー３１の基端部３１ａ側には、図３を側面から見た図４に表すように固定ピン３３を設ける。固定ピン３３はリンクレバー３１の端部から先端がはみ出すようにリンクレバー３１に固定され、リンクレバー３１の上下動にともなって上下動する。この固定ピン３３を固定する位置は、電磁コイル３２に通電された際に、電磁コイル３２によって上方へ移動される固定ピン３３が、ロック機構４と係止できる位置に設ける。
このように設けるシャッター板駆動部３は、図２に表すような固定された筐体８に設けられ、電磁コイル３２は筐体８と固定されており、リンクレバー３１は筐体８とは固定されず電磁コイル３２の電磁作用により移動可能である。
尚、この実施例におけるシャッター板２は、パチンコ玉Ｗが流れる位置、即ち上方に位置する開状態が基本位置であり、シャッター板駆動部３の電磁コイル３２に通電すると、電磁作用によりシャッター板２がパチンコ玉Ｗの流れを阻止する側、即ち下方へ移動するように構成した。しかしながら、シャッター板２の基本位置およびシャッター板駆動部３の作用はこれに限らず、シャッター板２の基本位置がパチンコ玉Ｗの流れを阻止する側、即ち下方に位置する閉状態であり、シャッター板駆動部３の電磁コイル３２に通電すると、シャッター板２がパチンコ玉Ｗを流せる位置、即ち上方に位置する開状態へ移動するように構成しても良く、適宜選択しどちらで実施しても良い。
【００３６】
ロック機構４は、図４および図４を平面側から見た図５に表すように、電磁コイル３２の近傍で筐体８に設置され、一端をＬ字状に折曲させ筐体８外部に突出させ他端を筐体内部でシャッター板駆動部３の固定ピン３３近傍に位置するように設けるロックレバー４１と、ロックレバー４１の他端側中央に穿設した長穴形状からなるスライド孔４１ａに挿通しロックレバー４１を筐体８と摺動可能に係止させる摺動係止部材４２と、リンクレバー３１側へ摺動されることで上方に移動しているリンクレバー３１の固定ピン３３の下部に入り込み固定ピン３３と係止する先端部４３とからなる。そして、ロックレバー４１に上部には、ボールプランジャー４４を設けると共にロックレバー４１の上面にはボールプランジャー４４のボールと係止する窪み（図示せず）を設ける。この窪み（図示せず）は、ロックレバー４１が最もリンクレバー３１側へ移動して固定ピン３３と係止できる位置でボールプランジャー４４と係止するように設け、ロックレバー４１をリンクレバー３１から離れる側へスライドさせて先端部４３が固定ピン３３と係止できない位置でボールプランジャー４４と係止するように設ける。このように窪みを設けると共にボールプランジャー４４を設けることで、ロック機構４がリンクレバー３１と係止して上方へ位置させ続ける場合とそうでない場合のロックレバー４１があるべき位置を明確できる。
このようにロック機構４を設けることで、電磁コイル３２の作用によりパチンコ玉搬送どぶＬおよびパチンコ玉搬送どぶＲのパチンコ玉が流れる面に移動したシャッター板２の状態を維持する際に、電磁コイル３２への通電を終了してもロックレバー４１がリンクレバー３１と係止し続けリンクレバー３１の位置が保持されるので、電流を流し続ける必要がない。
尚、この実施例に於けるロック機構４は、リンクレバー３１が上方に位置した時、即ちシャッター板２がパチンコ玉Ｗの流れを阻止する閉状態で、ロックレバー４１と固定ピン３３とが係止してシャッター板２の状態を保持可能としたが、必ずしもこのように構成する必要はなく、電磁コイル３２がリンクレバー３１の下方に位置した時、即ちシャッター板２がパチンコ玉Ｗを流せる開状態で、ロックレバー４１と固定ピン３３とが係止してシャッター板２の状態を保持可能に構成しても良く、電磁コイル３２の作動方向とこれに伴うシャッター板２の開閉の状態によって適宜選択すれば良く、どちらで実施しても良い。
【００３７】
５は電磁ソレノイドスイッチである。電磁ソレノイドスイッチ５は筐体８の正面に取付けられ、プッシュ式のスイッチであり、押圧している間は電磁コイル３２へ通電する。
９は閉状態確認ランプである。閉状態確認ランプ９は、シャッター板２が下方へ降りてパチンコ玉搬送どぶＬを堰き止めている状態を表すランプであり、閉状態（パチンコ玉Ｗの流れを阻止している状態）で点灯し続け、シャッター板２が上方へ移動して開状態（パチンコ玉Ｗが流れる状態）で消灯する。この閉状態確認ランプ９の点灯の制御は、図３あるいは図５に表すように、筐体８内部の電磁コイル３２下方に設けるマイクロスイッチ９１によってリンクレバー３１の位置を検出し行っている。即ち、マイクロスイッチ９１は、リンクレバー３１が電磁コイル３２の電磁作用により上方へ移動されたとき（シャッター板２が下方へ降りたとき）にオンとなり、電磁コイル３２への通電が終了しリンクレバー３１が下方へ移動したとき（シャッター板２がスプリング７によって上方へ戻されたとき）にはオフとなる。
このように、閉状態確認ランプ９およびマイクロスイッチ９１によってシャッター板２が閉状態となっていることを確認できる確認機構を構成することで、シャッター板２がパチンコ玉搬送どぶＬ上のパチンコ玉Ｗの流れを阻止したままパチンコ遊技を再開させてしまうことを防止できる。
【００３８】
上記実施例のように構成する玉流入防止用シャッター１では、パチンコ玉揚送装置Ｍの玉磨きベルトＭ３を交換する際に、まず玉流入防止用シャッター１の電磁ソレノイドスイッチ５を押圧して電磁コイル３２を作動させ、リンクレバー３１を上方へ移動する。すると、揺動部３１ｂのリンクバー３１ｃが揺動しシャッター板２を下方へ移動させ、シャッター板２が取付けられているパチンコ玉搬送どぶＬ上を流れるパチンコ玉の流れを阻止する。そして、この状態でロックレバー４１をスライドさせてリンクレバー３１側へ移動させ、固定ピン３３の下側にロックレバー４１の先端部４３を入り込ませる。
この状態にすることで、電磁コイル３２の通電を終了しても、固定ピン３３がロックレバー４１の先端部４３に係止するので、シャッター板２はパチンコ玉搬送どぶＬを阻止した状態を維持する。そして同時に電磁コイル３２への通電が終了してもマイクロスイッチ９１がリンクレバー３１によってオン状態となっているので閉状態確認ランプ９が点灯を続けている。
【００３９】
すると、集約部Ｎへのパチンコ玉Ｗの流入がなくなるので、パチンコ玉揚送装置Ｍを作動させ続けることで集約部Ｎおよびパチンコ玉揚送装置Ｍ内に存在しているパチンコ玉Ｗはすべてパチンコ玉揚送装置Ｍによってパチンコ玉揚送装置Ｍの上部に設けるパチンコ玉吐出し口（図示せず）から排出される。
次いで、ベルト供給部Ｍ４を作動させて汚れている玉磨きベルトＭ３を巻取りロールＭ７に巻取ると共に引出しロールＭ６から未使用の玉磨きベルトＭ３を引出し、パチンコ玉揚送装置Ｍに掛渡す。この際、パチンコ玉揚送装置Ｍ内にパチンコ玉Ｗが残っていないので、玉磨きベルトＭ３の巻取りに必要以上の駆動力を要しない。また、パチンコ玉揚送装置Ｍの下方にパチンコ玉Ｗが挟まるとしてパチンコ玉揚送装置Ｍの損傷を来きたしたりすることがない。
【００４０】
新しい玉磨きベルトＭ３の掛渡しが完了したところで、ロックレバー４１を引く。すると、ロックレバー４１の先端部４３とリンクレバー３１の固定ピン３３との係止が解除される。すると、シャッター板２を下方へ付勢させていたロックレバー４１の先端部４３と固定ピン３３との係止が解除されたので、シャッター板２はコイルスプリング７およびリンクレバー３１の重量によりパチンコ玉搬送どぶＬをパチンコ玉Ｗが流れるように上方へ移動し開状態とする。このときリンクレバー３１は下方へ移動している。
尚、上記のような玉流入防止用シャッター１の作動によるシャッター板２の閉状態維持、これに次ぐ所定時間経過後のパチンコ玉揚送装置Ｍの停止、これに続くベルト供給部Ｍ４によるベルト所定長の巻取り動作、これに続くパチンコ玉揚送装置Ｍの作動、これに続く玉流入防止用シャッター１の動作によるシャッター板２の開状態への解除、であるこれら一連の動作を自動的に制御しても良い。ただしこの場合には、上記実施例のような電磁ソレノイドスイッチ５の押圧による電磁コイル３２への通電ではなく、電磁コイル３２への通電は上記一連の制御を行う制御盤の指示によって行い、更に、ロック機構４を設けずに電磁コイル３２へ通電し続けることでシャッター板２の閉状態を維持する。これにより、玉流入防止用シャッター１は、他の装置と連動して制御可能にできる。
【００４１】
この実施例ではシャッター板２はパチンコ玉Ｗの流れる左右のパチンコ玉搬送どぶＬおよびパチンコ玉搬送どぶＲのそれぞれに設けたが、図６（ａ）に表すように、パチンコ玉揚送装置Ｍのパチンコ玉受入れ口Ｍ５に設けても良く、図６（ｂ）に表すように集約部Ｎに設けても良く、さらには、集約部Ｎから離れたパチンコ玉搬送どぶＬおよびパチンコ玉搬送どぶＲに設けても良い。そして、シャッター板２をパチンコ玉受入れ口Ｍ５や集約部Ｎに設けた場合には玉流入防止用シャッター１を１カ所に設ければ足りるので、設備コストの低減が図れ、また、パチンコホールの狭い島の中でパチンコ玉揚送装置Ｍ周辺が混雑している場合などには、集約部Ｎから離れたパチンコ玉搬送どぶＬおよびパチンコ玉搬送どぶＲへ設けることで設置場所の制約を受けない。特に、上記のような一連の制御によって動作が行われる場合には更に設置場所の制約を受けずに設置可能である。
また、玉流入防止用シャッター１の上記実施例はいずれも自動的にシャッター板２を閉状態としたが、電気等の動力を使用せず、手動によってシャッター板２を下げ、パチンコ玉Ｗの流入を阻止する閉状態としてもよく、この場合には玉流入防止用シャッター１を安価に提供で入る。
【産業上の利用可能性】
【００４２】
この発明は、パチンコホールにおいて島内に設置したパチンコ玉が流れるパチンコ玉搬送どぶ等のパチンコ玉搬送路に実施可能であるばかりでなく、島と島との間を結ぶパチンコ玉搬送路等島以外のパチンコホールでも利用可能である。
【図面の簡単な説明】
【００４３】
【図１】この発明の実施例の実施したパチンコホールの島内を表す斜視説明図
【図２】図１の側面視一部断面説明図
【図３】図２の部分拡大説明図
【図４】図３の右側面視説明図
【図５】図４を平面側から見た視断面説明図
【図６】（ａ）（ｂ）それぞれ他の実施例を表す側面視一部断面説明図
【符号の説明】
【００４４】
Ｌ、Ｒ  パチンコ玉搬送どぶ
Ｍ  パチンコ玉揚送装置
Ｍ１  揚送部
Ｍ２  揚送ベルト
Ｍ３  玉磨きベルト
Ｍ４  ベルト供給部
Ｍ５  パチンコ玉受入れ口
Ｍ６  引出しロール
Ｍ７  巻取りロール
Ｎ  集約部
Ｗ  パチンコ玉
１  玉流入防止用シャッター
２  シャッター板
３  シャッター板駆動部
３１  リンクレバー
３１ａ  基端部
３１ｂ  揺動部
３１ｃ  リンクバー
３１ｄ  長穴
３２  電磁コイル
３３  固定ピン
４  ロック機構
４１  ロックレバー
４１ａ  スライド孔
４２  摺動係止部材
４３  先端部
４４  ボールプランジャー
５  電磁ソレノイドスイッチ
６  枠体
７  コイルスプリング
８  筐体
９  閉状態確認ランプ
９１  マイクロスイッチ
【図１】
2006314719.tif 000003
【図２】
2006314719.tif 000004
【図３】
2006314719.tif 000005
【図４】
2006314719.tif 000006
【図５】
2006314719.tif 000007
【図６】
2006314719.tif 000008